(57)【特許請求の範囲】
【請求項１】
予めアドレスデータが記録されたヘッダ領域及びユーザ用のレコーディング領域を有する光ディスクに対してデータを記録または再生する光ディスク装置において、
前記光ディスクに光ビームを照射して光ビームスポットを形成する光ビーム照射手段と、
前記光ビームスポットの前記光ディスクからの反射光を受光して前記ヘッダ領域及びレコーディング領域のデータを光学的に読み取り、電気信号として出力する光検出手段と、
前記光検出手段の出力を増幅する前置増幅手段と、
前記前置増幅手段の出力から前記光ビーム照射手段の光ビーム照射位置を制御するためのサーボ信号を生成するサーボ信号生成手段と、
前記生成されたサーボ信号に基づいて前記光ビーム照射手段の光ビーム照射位置を制御する光照射位置制御手段と、
前記前置増幅手段の出力から前記ヘッダ領域を検出し、検出条件がそれぞれ異なる複数のヘッダ検出手段と、
前記各ヘッダ検出手段による前記ヘッダ領域の検出結果の良否をそれぞれ判断し、その判断結果に基づいて前記複数のヘッダ検出手段の中から最適なヘッダ検出手段を選択する手段と、
前記選択されたヘッダ検出手段の出力に同期するヘッダ同期信号を生成するヘッダ同期信号生成手段と、
前記ヘッダ同期信号に基づいて、前記ヘッダ検出手段がヘッダ領域を検出する前の前記サーボ信号を保持するサーボ信号保持手段と、
前記ヘッダ同期信号に基づいて、前記サーボ信号生成手段が出力したサーボ信号と前記サーボ信号保持手段によって保持されたサーボ信号とを切り替えて前記光照射位置制御手段に出力するサーボ信号切り替え手段と
を具備することを特徴とする光ディスク装置。
【請求項２】
前記複数のヘッダ検出手段が、前記前置増幅手段の出力から前記ヘッダ領域を検出する第１のヘッダ検出手段と、
前記前置増幅手段の出力から前記第１のヘッダ検出手段よりも正確に前記ヘッダ領域を検出する第２のヘッダ検出手段と
を備えることを特徴とする請求項１記載の光ディスク装置。
【請求項３】
前記前置増幅手段の出力からウォブルを検出するウォブル検出手段と、
前記ウォブル検出手段の出力からこれに同期したウォブル同期信号を生成するウォブル同期信号生成手段と
をさらに有し、
前記ヘッダ同期信号生成手段は、前記ヘッダ検出手段の出力ならびに前記ウォブル同期信号生成手段により生成されたウォブル同期信号に基づいて前記ヘッダ検出同期信号を生成することを特徴とする請求項１または２記載の光ディスク装置。
【請求項４】
前記ヘッダ同期信号に基づいて、前記前置増幅手段の出力から前記ヘッダ領域を検出する有効区間を設定する手段をさらに有することを特徴とする請求項１ないし３記載の光ディスク装置。
【請求項５】
予めアドレスデータが記録されたヘッダ領域及びユーザ用のレコーディング領域を有する光ディスクに対してデータを記録または再生する光ディスク装置において、
前記光ディスクに光ビームを照射して光ビームスポットを形成する光ビーム照射手段と、
前記光ビームスポットの前記光ディスクからの反射光を受光して前記ヘッダ領域及びレコーディング領域のデータを光学的に読み取り、電気信号として出力する光検出手段と、
前記光検出手段の出力を増幅する前置増幅手段と、
前記前置増幅手段の出力から前記光ビーム照射手段の光ビーム照射位置を制御するためのサーボ信号を生成するサーボ信号生成手段と、
前記生成されたサーボ信号に基づいて前記光ビーム照射手段の光ビーム照射位置を制御する光照射位置制御手段と、
前記前置増幅手段の出力から前記ヘッダ領域を検出し、検出条件がそれぞれ異なる複数のヘッダ検出手段と、
前記各ヘッダ検出手段による前記ヘッダ領域の検出結果の良否をそれぞれ判断し、その判断結果に基づいて前記複数のヘッダ検出手段の中から最適なヘッダ検出手段を選択する手段と、
前記選択されたヘッダ検出手段の出力に同期するヘッダ同期信号を生成するヘッダ同期信号生成手段と、
前記ヘッダ同期信号に基づいて、前記ヘッダ検出手段がヘッダ領域を検出する前の前記サーボ信号を保持するサーボ信号保持手段と、
前記ヘッダ同期信号に基づいて、前記サーボ信号生成手段が出力したサーボ信号と前記サーボ信号保持手段によって保持されたサーボ信号とを切り替えて前記光照射位置制御手段に出力するサーボ信号切り替え手段と
を具備することを特徴とする光ディスク装置の制御回路。
【請求項６】
前記複数のヘッダ検出手段が、前記前置増幅手段の出力から前記ヘッダ領域を検出する第１のヘッダ検出手段と、
前記前置増幅手段の出力から前記第１のヘッダ検出手段よりも正確に前記ヘッダ領域を検出する第２のヘッダ検出手段と
を備えることを特徴とする請求項５記載の光ディスク装置の制御回路。
【請求項７】
前記前置増幅手段の出力からウォブルを検出するウォブル検出手段と、
前記ウォブル検出手段の出力からこれに同期したウォブル同期信号を生成するウォブル同期信号生成手段と
をさらに有し、
前記ヘッダ同期信号生成手段は、前記ヘッダ検出手段の出力ならびに前記ウォブル同期信号生成手段により生成されたウォブル同期信号に基づいて前記ヘッダ検出同期信号を生成することを特徴とする請求項５または６記載の光ディスク装置の制御回路。
【請求項８】
前記ヘッダ同期信号に基づいて、前記前置増幅手段の出力から前記ヘッダ領域を検出する有効区間を設定する手段をさらに有することを特徴とする請求項５ないし７記載の光ディスク装置の制御回路。
【発明の詳細な説明】
【０００１】
【発明の属する技術分野】
本発明は、ＤＶＤ−ＲＡＭドライブなど、データの記録／再生が可能な光ディスク装置とその制御回路に関する。
【０００２】
【従来の技術】
ＤＶＤ−ＲＡＭの物理フォーマットにはウォブル・ランドグルーブ方式が採用されている。ウォブル・ランドグルーブ方式は、図８および図９に示すように、レーザー光が照射される側から見て、ディスク面に形成された凸のトラック（グルーブトラック）１００と凹のトラック（ランドトラック）１０１の両方のトラックにマークを記録する方式である。トラックにはウォブル１０２と呼ばれる微小なうねりが所定の周波数で形成されており、このウォブル１０２を検出することによって得た周波数信号に基づいて、ラフなリードチャネルＰＬＬ引き込みを行うことが可能とされている。
【０００３】
また、ＤＶＤ−ＲＡＭにはランドトラック１０１およびグルーブトラック１００を切断するような配置でヘッダ部１０５が設けられており、このヘッダ部１０５にはアドレス情報としてのビットが製造時に記録されている。すなわち、ウォブル・ランドグルーブ方式では、ヘッダ部１０５のビットを読み取ることによってアドレスの検出が可能とされている。
【０００４】
しかしながら、ヘッダ部はランドトラックおよびグルーブトラックの物理的な連続性を乱すものともなっている。その影響は、光ピックアップの光検出器によって検出される信号を基に実行されるトラッキングサーボおよびフォーカスサーボにおよぶ。これらの制御にとってヘッダ部から得られる光検出信号は雑音として働き、サーボの乱れ、アドレス情報の読み間違い、不要なトラックジャンプの発生などの不具合をもたらす。
【０００５】
【発明が解決しようとする課題】
このようなウォブル・ランドグルーブ方式のＤＶＤ−ＲＡＭを記録／再生するディスクドライブでは、ディスクへのデータの書き込み開始の正確なタイミングを生成する必要があるが、このタイミングを生成するための基準となる同期信号をどのようにして得るかが製品開発上の検討課題の一つとされている。また、ディスクからのデータ再生時に再生クロックを生成するための基準となる同期信号を得る最適な方式も望まれている。
【０００６】
そこで本発明は、ウォブル・ランドグルーブ方式のＤＶＤ−ＲＡＭを記録／再生する光ディスク装置において、データ書き込み開始の最適なタイミングや、データ再生用のクロックを生成するための基準となる最適な同期信号を生成することのできる方式の提供を目的とする。
【０００７】
さらに、本発明はランド・グルーブ方式のディスクにおけるヘッダ領域とデータ領域とをより正確に識別することのできる光ディスク装置とその制御回路を提供することを目的としている。
【０００８】
【課題を解決するための手段】
上記目的を達成するために、本発明の光ディスク装置は、請求項１に記載されるように、予めアドレスデータが記録されたヘッダ領域及びユーザ用のレコーディング領域を有する光ディスクに対してデータを記録または再生する光ディスク装置において、前記光ディスクに光ビームを照射して光ビームスポットを形成する光ビーム照射手段と、前記光ビームスポットの前記光ディスクからの反射光を受光して前記ヘッダ領域及びレコーディング領域のデータを光学的に読み取り、電気信号として出力する光検出手段と、前記光検出手段の出力を増幅する前置増幅手段と、前記前置増幅手段の出力から前記光ビーム照射手段の光ビーム照射位置を制御するためのサーボ信号を生成するサーボ信号生成手段と、前記生成されたサーボ信号に基づいて前記光ビーム照射手段の光ビーム照射位置を制御する光照射位置制御手段と、前記前置増幅手段の出力から前記ヘッダ領域を検出し、検出条件がそれぞれ異なる複数のヘッダ検出手段と、前記各ヘッダ検出手段による前記ヘッダ領域の検出結果の良否をそれぞれ判断し、その判断結果に基づいて前記複数のヘッダ検出手段の中から最適なヘッダ検出手段を選択する手段と、前記選択されたヘッダ検出手段の出力に同期するヘッダ同期信号を生成するヘッダ同期信号生成手段と、前記ヘッダ同期信号に基づいて、前記ヘッダ検出手段がヘッダ領域を検出する前の前記サーボ信号を保持するサーボ信号保持手段と、前記ヘッダ同期信号に基づいて、前記サーボ信号生成手段が出力したサーボ信号と前記サーボ信号保持手段によって保持されたサーボ信号とを切り替えて前記光照射位置制御手段に出力するサーボ信号切り替え手段とを具備することを特徴とする。
【０００９】
また、本発明の光ディスク装置は、請求項２に記載されるように、前記複数のヘッダ検出手段が、前記前置増幅手段の出力から前記ヘッダ領域を検出する第１のヘッダ検出手段と、前記前置増幅手段の出力から前記第１のヘッダ検出手段よりも正確に前記ヘッダ領域を検出する第２のヘッダ検出手段とを備えることを特徴とする。
【００１０】
また、本発明の光ディスク装置は、請求項３に記載されるように、前記前置増幅手段の出力からウォブルを検出するウォブル検出手段と、前記ウォブル検出手段の出力からこれに同期したウォブル同期信号を生成するウォブル同期信号生成手段とをさらに有し、前記ヘッダ同期信号生成手段は、前記ヘッダ検出手段の出力ならびに前記ウォブル同期信号生成手段により生成されたウォブル同期信号に基づいて前記ヘッダ検出同期信号を生成することを特徴とする。
【００１１】
さらに、本発明の光ディスク装置は、請求項４に記載されるように、前記ヘッダ同期信号に基づいて、前記前置増幅手段の出力から前記ヘッダ領域を検出する有効区間を設定する手段をさらに有することを特徴とする。
【００１２】
本発明によれば、光検出手段の出力を増幅した信号から検出されるヘッダ領域の検出タイミングからその同期信号を生成し、この生成されたヘッダ同期信号により光ディスクに対するデータの記録または再生を行う。また、ヘッダ領域を検出する手段として、検出条件の異なる複数のヘッダ検出手段を設けておき、それぞれの検出手段によるヘッダ領域の検出結果の良否を判断し、その判断結果に基づいて複数のヘッダ検出手段の中から最適なヘッダ検出手段を選択することによって、より正確なヘッダ同期信号を得ることができ、信頼性を向上させることができる。
【００１３】
また、前置増幅手段の出力からウォブルを検出するウォブル検出手段を設け、このウォブル検出手段の出力からこれに同期したウォブル同期信号を生成し、ヘッダ検出手段の出力ならびにウォブル同期信号に基づいてヘッダ検出同期信号を生成することによって、より一層精度の高いヘッダ同期信号を得ることができるようになる。さらに、ヘッダ同期信号生成手段により生成されたヘッダ同期信号に基づいて、前置増幅手段の出力からヘッダ領域を検出する有効区間を設定することによって、ヘッダ領域以外のノイズ等の影響でヘッダ領域を誤検出する確率が減り、精度の更なる向上を期待することができる。
【００１４】
これにより、データ書き込み開始の最適なタイミングや、データ再生用のクロックを生成するための基準となる最適な同期信号を生成することが可能になるとともに、ディスクにおけるヘッダ領域とデータ領域とをより正確に識別することが可能になる。
【００１５】
【発明の実施の形態】
以下、本発明の実施形態を図面を参照して説明する。
【００１６】
図１は、本発明の一実施形態の光ディスク装置としてのＤＶＤ−ＲＡＭドライブの構成を示す図である。なお、以下に述べる「・・・手段」は、たとえば基板上に実装されたチップやその他の回路により提供される。
【００１７】
光ピックアップからＤＶＤ−ＲＡＭメディアである光ディスク１に照射されたレーザの反射光は光ピックアップ内の光検出手段２に入力され、ここで電気信号に変換された後、前置増幅手段３により増幅される。増幅された信号２１は、トラッキング誤差信号生成手段４、フォーカス誤差信号生成手段５、ヘッダ前縁検出手段６、ヘッダラフ検出手段７およびウォブル検出手段８にそれぞれ入力される。
【００１８】
トラッキング誤差信号生成手段４は、増幅信号２１に含まれるトラッキング誤差情報を抽出してトラッキング誤差信号２２として出力する。トラッキング誤差信号２２は切り替えスイッチ９とトラッキング誤差信号保持手段１０にそれぞれ入力される。
【００１９】
トラッキング誤差信号保持手段１０は、制御手段２０から与えられるトラッキング誤差保持切り替え制御信号２４の入力開始のタイミングでトラッキング誤差信号２２の値を保持する。切り替えスイッチ９は、制御手段２０から与えられるトラッキング誤差保持切り替え制御信号２４に基づいて、トラッキング誤差信号生成手段４の出力あるいはトラッキング誤差信号保持手段１０の出力のいずれかを選択し、トラッキングサーボ制御手段１１へ出力する。
【００２０】
トラッキングサーボ制御手段１１は、切り替えスイッチ９によって選択されたトラッキング誤差信号を基に、光検出手段２の照射するレーザの光スポットが光ディスク１上のトラック（ランドトラックあるいはグルーブトラック）に沿って移動するように、光検出手段２を有する光ピックアップのディスク半径方向の位置を制御する。
【００２１】
制御手段２０は、ＤＶＤ−ＲＡＭメディアの信号記録面の構造上トラッキング誤差信号２２として望ましい特性が途切れる区間（図８および図９のヘッダ領域を光スポットが通過する区間）に入る直前のトラッキング誤差信号２２の値をトラッキング誤差信号保持手段１０に保持させ、その区間はトラッキング誤差信号保持手段１０の出力を切り替えスイッチ９にて選択し、他の区間はトラッキング誤差信号生成手段４の出力を選択するようにトラッキング誤差保持切り替え制御信号２４を出力する。
【００２２】
フォーカス誤差信号生成手段５は、増幅信号２１に含まれるフォーカス誤差情報を抽出してフォーカス誤差信号２３として出力する。フォ一カス誤差信号２３は切り替えスイッチ１２とフォ一カス誤差信号保持手段１３にそれぞれ入力される。
【００２３】
フォーカス誤差信号保持手段１３は、制御手段２０から与えられたフォーカス誤差保持切り替え制御信号２５の入力開始のタイミングでフォーカス誤差信号２３の値を保持する。切り替えスイッチ１２は、制御手段２０から与えられるフォーカス誤差保持切り替え制御信号２５に基づいて、フォーカス誤差信号生成手段５の出力あるいはフォーカス誤差信号保持手段１３の出力のいずれかを選択し、フォーカスサーボ制御手段１４へ出力する。
【００２４】
フォーカスサーボ制御手段１４は、切り替えスイッチ１２によって選択された信号を基に、光検出手段２の照射するレーザのビームウェスト内に光ディスク１上のディスク面が位置するように、光検出手段２のフォーカス方向の位置を制御する。
【００２５】
制御手段２０は、ＤＶＤ−ＲＡＭメディアの信号記録面の構造上フォーカス誤差信号２３として望ましい特性が途切れる区間（図８、図９のヘッダ領域を光スポットが通過する区間）に入る直前のフォーカス誤差信号２３の値をフォーカス誤差信号保持手段１３に保持させ、その区間はトラッキング誤差信号保持手段１０の出力を切り替えスイッチ９にて選択し、他の区間はフォーカス誤差信号生成手段５の出力を選択するようにフォーカス誤差保持切り替え制御信号２５を出力する。
【００２６】
ヘッダ前縁検出手段６は、入力された増幅信号２１から、ヘッダの前縁位置情報を抽出し、ヘッダの前縁位置情報を表す一定の時間幅を持つパルスであるヘッダ前縁検出信号２６をヘッダ検出選択手段１５および制御手段２０へ出力する。制御手段２０は一定の時間幅を持ったパルスであるヘッダ検出選択制御信号３２をヘッダ検出選択手段１５に入力する。ヘッダ検出選択手段１５は、ヘッダ検出選択制御信号３２を受け、入力されたヘッダ前縁検出信号２６をヘッダ検出選択制御信号３２でマスク（選択）することにより、ノイズ等により発生したパルスである、本来のヘッダ位置を示さない検出結果を取り除き、本来のヘッダ前縁位置との対応を向上させた前縁検出信号２９を信号選択手段１８へ出力する。
【００２７】
ヘッダラフ検出手段７は、入力された増幅信号２１から、トラバース中でも検出できるヘッダ位置のおおまかな位置情報を表す一定の時間幅を持つパルスであるヘッダラフ検出信号２７を生成して、ヘッダ検出選択手段１６および制御手段２０へ出力する。
【００２８】
制御手段２０は一定の時間幅を持ったパルスであるヘッダ検出選択制御信号３３をヘッダ検出選択手段１６に入力する。ヘッダ検出選択手段１６は、ヘッダ検出選択制御信号３３を受け、入力されたヘッダラフ検出信号２７をヘッダ検出選択制御信号３３でマスク（選択）することにより、ノイズ等により発生したパルスである、本来のヘッダ位置を示さない検出結果を取り除き、本来のヘッダ位置との対応を向上させたヘッダラフ検出信号３０を信号選択手段１８へ出力する。ウォブル検出手段８は、増幅信号２１を受け取り、光ディスク１のトラックがウォブルを含む場合に増幅信号２１に含まれるウォブル成分を抽出し、ウォブル検出信号２８として出力する。ウォブル検出信号２８はウォブル同期信号生成手段１７に入力され、ウォブル検出信号２８の抜けを補間したウォブル同期信号３１を信号選択手段１８に入力する。
【００２９】
制御手段２０は信号選択手段１８に入力された、ヘッダ前縁検出手段６、ヘッダラフ検出手段７、ウォブル検出手段８およびその他の入力のうちから、一つあるいは複数を選択するための信号選択制御信号３８を信号選択手段１８に入力する。信号選択手段１８は選択された信号３５をヘッダ検出同期信号生成手段１９へ出力する。ヘッダ検出同期信号生成手段１９は入力された信号３５に同期させた信号３６を制御手段２０へ出力する。
【００３０】
ヘッダ検出同期信号生成手段１９は、あらかじめ決められた複数の異なったゲインを持ち、制御手段２０の出力するゲイン選択制御信号３７に従ってゲインを選択する。
【００３１】
ヘッダ検出同期信号生成手段１９は、信号選択手段１８より入力された信号３５と出力信号３６の位相差および周期差を検出し、制御手段２０の出力する同期方式選択制御信号３４に基づいて、前記の位相差情報あるいは周期差情報を選択的に用いて入力信号３５と出力信号３６とを同期させる。
【００３２】
また、制御手段２０は、入力された同期信号３６に基づいてヘッダ領域を予測し、予測ヘッダ位置から決定したヘッダ領域直前のタイミングで、トラッキング誤差信号保持切り替え制御信号２４およびフォーカス誤差信号保持切り替え制御信号２５を出力することにより、トラッキング誤差信号保持手段１０にヘッダ領域の直前のトラッキング誤差信号の値を保持させ、かつフォ一カス誤差信号保持手段１３にヘッダ領域の直前のフォ一カス誤差信号を保持させる。これにより、トラッキングサーボおよびフォーカスサーボがヘッダ領域による影響を受けることがなくなり、安定したトラッキングサーボおよびフォーカスサーボを維持することが可能になる。
【００３３】
さらに、制御手段２０は、ヘッダラフ検出信号２７の品位を高めるために、一定の時間幅を持ったヘッダラフ検出選択制御信号３３を前記予測ヘッダ位置に基づいて生成する。制御手段２０は、入力されたヘッダラフ検出信号２７が、予測ヘッダ位置に基づいて生成されたヘッダラフ検出選択制御信号３３の示す時間幅内に入っているかどうかを判断し、その判定結果たとえば前記時間幅内にヘッダ前縁検出信号２６が連続して入らなかった回数などから、ヘッダラフ検出状況の良否を判断する。そして、制御手段２０は、判断したヘッダラフ検出状況の良否に応じて、ヘッダラフ検出選択制御信号３３の示す時間幅を最適に変更する。
【００３４】
さらに、制御手段２０は、ヘッダ前縁検出信号２６の品位を判定し、また誤検出の影響を防いで検出精度を高める手段となる、一定の時間幅を持ったヘッダ前縁検出選択制御信号３２を前記予測ヘッダ位置を基に生成して出力する。そして制御手段２０は、ヘッダ前縁検出信号２６が前記検出選択制御信号３２の示す時間幅内に入っているかどうかを判断し、その回数によりヘッダ前縁検出状況の良否を判断し、その判定結果たとえば前記時間幅内にヘッダラフ検出信号２７が連続して入らなかった回数などからヘッダ前縁検出状況の良否を判断する。そして、制御手段２０は、判断したヘッダ前縁検出状況の良否に応じて、ヘッダ前縁検出選択制御信号３２の示す時間幅を最適に変更する。
【００３５】
制御手段２０は、前記ヘッダラフ検出状況および前記ヘッダ前縁検出状況の良否に応じ、ゲイン選択制御信号３７および同期方式選択制御信号３４を出力することで検出状況に応じた同期方式を選択する。
【００３６】
また、制御手段２０は前記ヘッダラフ検出状況および前記ヘッダ前縁検出状況の良否に応じ、信号選択制御信号３８を信号選択手段１８に出力することで、その時点の検出状況下でもっとも信頼のおけるヘッダ検出信号を選択し、同期信号３６を作成する。
【００３７】
ここで制御手段２０はヘッダ前縁検出選択制御信号３２及びヘッダラフ検出選択制御信号３３を
▲１▼ヘッダ位置信号から検出されたヘッダ自身をマスクする。
▲２▼ヘッダ位置信号から検出されたヘッダの次に出現するヘッダをマスクする。
▲３▼ヘッダ検出同期信号生成手段１９の各出力のタイミングでヘッダをマスクする。のうち、いずれかの方法を用いて出力する。
【００３８】
また、ヘッダ検出同期信号生成手段１９の出力３６は後段処理手段へ受け渡され、
・リードチャンネルＰＬＬ引き込みのためのタイミング生成
・ディスクにデータ書き込みを行う開始タイミング生成
等を行うために使用される。
【００３９】
次に、本実施形態の動作を、ヘッダ前縁検出手段６、ヘッダラフ検出手段７およびウォブル検出手段８などの各出力からヘッダ検出同期信号を生成する場合を例にとり図２ないし図５を参照して説明する。
【００４０】
まず、図２において、制御手段２０は、光ディスクを駆動するスピンドルモータ３９の回転数を検出するスピンドルＦＧ検出手段４１の出力を選択するよう、信号選択制御信号３８を信号選択手段１８に入力する（ステップ２０１）。スピンドルＦＧ検出手段４１は、スピンドルモータ３９のＦＧ出力４０を現在のディスク半径位置に応じて決まるヘッダ間隔に相当する信号４２を生成する。この分周信号４２は、そのまま制御手段２０に与えられる（ステップ２０２）。
【００４１】
ここで制御手段２０は、入力されたＦＧ分周信号４２のヘッダ同期信号３６を基にディスク回転数が所定の範囲に入ったかどうかを判断し（ステップ２０３）、入っていなければステップ２０２に戻って、ＦＧ分周信号４２（３５）からのヘッダ同期信号３６の生成を継続する。
【００４２】
また、ディスク回転数が所定の範囲に入っている場合、制御手段２０は、図３において、ヘッダラフ検出手段７の出力（ヘッダ検出選択手段１６の出力）を選択するよう、信号選択制御信号３８を信号選択手段１８に入力する（ステップ３０１）。ヘッダラフ検出手段７は、光検出手段２によって検出された信号の増幅信号２１から、トラバース中（トラッキングサーボがＯＦＦ状態）でも検出できるヘッダ位置のおおまかな位置情報を表す一定の時間幅を持つヘッダラフ検出信号２７を生成する。
【００４３】
このヘッダラフ検出手段７とヘッダ前縁検出手段６によるヘッダ検出は、光検出手段２の出力波形に現れるヘッダ成分をそれぞれ所定の基準に従って検出することによって行われる。
【００４４】
ヘッダラフ検出手段７より出力されたヘッダラフ検出信号２７はヘッダ検出選択手段１６に入力され、ここでノイズ等の除去された、ヘッダ位置を高品位に示すパルス状のヘッダラフ検出信号３０とされて信号選択手段１８へ出力される。このヘッダラフ検出信号３０は、信号選択手段１８を通じてヘッダ検出同期信号生成手段１９に入力され、ヘッダ検出同期信号生成手段１９は入力されたヘッダラフ検出信号３０（３５）から、これに同期するヘッダ同期信号３６を生成して（ステップ３０２）、制御手段２０に与える。
【００４５】
ここで制御手段２０は、入力されたヘッダ同期信号３６を基準にトラッキング誤差信号保持切り替え制御信号２４およびフォーカス誤差信号保持切り替え制御信号２５の各タイミングを生成する（ステップ３０３）。すなわち、制御手段２０はヘッダ同期信号３６を基準に、予測ヘッダ位置の直前のタイミングでトラッキング誤差信号保持切り替え制御信号２４およびフォーカス誤差信号保持切り替え制御信号２５を出力することによって、ヘッダ位置の直前のトラッキング誤差信号およびフォーカス誤差信号をトラッキング誤差信号保持手段１０およびフォーカス誤差信号保持手段１３に保持させるように制御を行う。
【００４６】
次に制御手段２０は、ヘッダ同期信号３６を基準に、ヘッダ検出選択制御信号３２、３３を生成してヘッダ検出選択手段１５、１６にノイズ除去等を目的とする保護窓として出力するとともに、当該ヘッダ検出の信頼度を確認するために使用されるヘッダ到来検出窓を生成する（ステップ３０４）。このヘッダ到来検出窓と保護窓はともに同じヘッダ同期信号３６からヘッダ位置を含む範囲で設定されるが、両者の長さと位置は一致しても一致しなくてもよい。
【００４７】
続いて制御手段２０は、ステップ３０５にて、ヘッダラフ検出手段７より直接取り込んだヘッダラフ検出信号２７と前記の生成されたヘッダ到来検出窓とを時間軸上で重ね合せ、ヘッダラフ検出信号２７がヘッダ到来検出窓内に入っているかどうかを判断する。この判断の結果、ヘッダラフ検出信号２７が入らないヘッダ到来検出窓が連続して所定回数（たとえば３回）発生した場合は（ステップ３０５）、図２に示したステップ２０１に戻り、信号選択手段１８の出力をスピンドルＦＧ検出手段４１の出力に切り換える。また、前記の判断の結果、ヘッダラフ検出信号２７が入らないヘッダ到来検出窓が連続して所定回数（たとえば３回）発生した場合は（ステップ３０６）、図４に示すステップ４０１へ移る。その他の場合は、図３のステップ３０２に戻り、上述のヘッダラフ検出を継続する。
【００４８】
図４のステップ４０１において、制御手段２０は、ヘッダ前縁検出手段６の出力（ヘッダ検出選択手段１５の出力）を選択するように信号選択制御信号３８を信号選択手段１８に入力する（ステップ４０１）。ヘッダ前縁検出手段６は、光検出手段２によって検出された信号の増幅信号２１から、トラッキングサーボＯＮの時に検出できるヘッダ位置の情報を表す一定の時間幅を持つヘッダ前縁検出信号２９を生成する。ヘッダ前縁検出手段６は、トラッキングサーボＯＮ時、すなわち増幅信号２１の変動が比較的（トラッキングサーボＯＦＦ時に比べて）小さい状況下において、ヘッダ位置に対応する増幅信号２１の波形を他の位置での信号波形と識別することができるよう設定されたスレシュホールドを用いて行われる。
【００４９】
このヘッダ前縁検出手段６により生成されたヘッダ前縁検出信号２９は、ヘッダ検出選択手段１５に入力され、ここでノイズ等の除去された、ヘッダ位置を高品位に示すパルス状のヘッダ前縁検出信号２９とされて信号選択手段１８へ出力される。このヘッダ前縁検出信号２９は、信号選択手段１８を通じてヘッダ検出同期信号生成手段１９に入力され、ヘッダ検出同期信号生成手段１９は入力されたヘッダ前縁検出信号２９（３５）から、これに同期するヘッダ同期信号３６を生成して（ステップ４０２）、制御手段２０に与える。
【００５０】
ここで制御手段２０は、ヘッダラフ検出時と同様に、入力されたヘッダ同期信号３６を基準にトラッキング誤差信号保持切り替え制御信号２４およびフォーカス誤差信号保持切り替え制御信号２５の各タイミングを生成する（ステップ４０３）。すなわち、制御手段２０はヘッダ同期信号３６を基準に、予測ヘッダ位置の直前のタイミングでトラッキング誤差信号保持切り替え制御信号２４およびフォーカス誤差信号保持切り替え制御信号２５を出力することによって、ヘッダ位置の直前のトラッキング誤差信号およびフォーカス誤差信号をトラッキング誤差信号保持手段１０およびフォーカス誤差信号保持手段１３に保持させるように制御を行う。
【００５１】
次に制御手段２０は、ヘッダラフ検出時と同様に、ヘッダ同期信号３６を基準に、ヘッダ検出選択制御信号３２、３３を生成してヘッダ検出選択手段１５、１６にノイズ除去等を目的とする保護窓として出力するとともに、当該ヘッダ前縁検出の信頼度を確認するために使用されるヘッダ到来検出窓を生成する（ステップ４０４）。
【００５２】
続いて制御手段２０は、ステップ４０５にて、ヘッダ前縁検出手段６より直接取り込んだヘッダ前縁検出信号２６と前記の生成されたヘッダ到来検出窓とを時間軸上で重ね合せ、ヘッダ前縁検出信号２６がヘッダ到来検出窓内に入っているかどうかを判断する。この判断の結果、ヘッダ前縁検出信号２６が入らないヘッダ到来検出窓が連続して所定回数（たとえば３回）発生した場合は（ステップ３０５）、図３に示したステップ３０１に戻り、信号選択手段１８の出力をヘッダラフ検出手段７の出力に切り換える。また、前記の判断の結果、ヘッダ前縁検出信号２６が入らないヘッダ到来検出窓が連続して所定回数（たとえば３回）発生した場合は（ステップ４０６）、図５に示すステップ５０１へ移る。その他の場合は、図４のステップ４０２に戻り、上述のヘッダ前縁検出を継続する。
【００５３】
図５のステップ５０１において、制御手段２０は、ヘッダ前縁検出手段６の出力（ヘッダ検出選択手段１５の出力）とともにウォブル検出手段８の出力を選択するように信号選択制御信号３８を信号選択手段１８に入力する。
【００５４】
ヘッダ前縁検出手段６（ヘッダ検出選択手段１５）により生成されたヘッダ前縁検出信号２９はヘッダ検出選択手段１５に入力され、ここでノイズ等の除去された、ヘッダ位置を高品位に示すパルス状のヘッダ前縁検出信号２９とされて信号選択手段１８へ出力され、一方、ウォブル検出手段８で生成されたウォブル検出信号２８は、ウォブル同期信号生成手段１７に入力され、ここでウォブル検出信号２８の抜けを補間したウォブル同期信号３１とされて信号選択手段１８に入力される。
【００５５】
信号選択手段１８で選択されたヘッダ前縁検出信号２９とウォブル同期信号３１はヘッダ検出同期信号生成手段１９に入力され、ヘッダ検出同期信号生成手段１９は入力されたヘッダ前縁検出信号２９とウォブル同期信号３１（３５）から、これに同期するヘッダ同期信号３６を生成して（ステップ５０１）、制御手段２０に与える。
【００５６】
制御手段２０は、ヘッダラフ検出時およびヘッダ前縁検出時と同様に、入力されたヘッダ前縁検出信号２９とウォブル同期信号３１（３５）を基準にトラッキング誤差信号保持切り替え制御信号２４およびフォーカス誤差信号保持切り替え制御信号２５の各タイミングを生成する（ステップ５０２）。
【００５７】
次に制御手段２０は、ヘッダラフ検出時およびヘッダ前縁検出時と同様に、入力されたヘッダ前縁検出信号２９とウォブル同期信号３１（３５）を基準に、ヘッダ検出選択制御信号３２、３３を生成してヘッダ検出選択手段１５、１６にノイズ除去等を目的とする保護窓として出力するとともに、当該ヘッダ位置検出の信頼度を確認するために使用されるヘッダ到来検出窓を生成する（ステップ５０３）。
【００５８】
続いて制御手段２０は、ステップ５０４にて、ヘッダ前縁検出手段６より直接取り込んだヘッダ前縁検出信号２６と前記の生成されたヘッダ到来検出窓とを時間軸上で重ね合せ、ヘッダ前縁検出信号２６がヘッダ到来検出窓内に入っているかどうかを判断する。この判断の結果、ヘッダ前縁検出信号２６が入らないヘッダ到来検出窓が連続して所定回数（たとえば３回）発生した場合は（ステップ５０４）、図４に示したステップ４０１に戻り、信号選択手段１８の出力をヘッダ前縁検出手段６のみの出力に切り換える。その他の場合は、図５のステップ５０１に戻り、上述のヘッダ前縁検出およびウォブル検出を継続する。
【００５９】
図６にヘッダ領域によるトラッキング誤差信号およびフォーカス誤差信号への影響を従来の場合と本実施形態の場合とで比較して示す。本実施形態では、ヘッダ領域の直前の信号を保持して、ヘッダ領域区間はこの保持されたトラッキング誤差信号あるいはフォ一カス誤差信号に基づいてトラッキング制御あるいはフォーカス制御を行うので、トラッキングサーボおよびフォーカスサーボがヘッダ領域による影響を受けることがなくなり、安定したトラッキングサーボおよびフォーカスサーボを維持することが可能になる。
【００６０】
また、図７に示すように、ヘッダ前縁検出手段６、ヘッダラフ検出手段７、ウォブル検出手段８およびその他で得られたヘッダ同期信号３５から、ヘッダ検出同期信号生成手段１９にてその同期信号３６を生成し、このヘッダ同期信号３６に基づいて、ヘッダ領域期間はフォーカス誤差保持手段の出力を選択し、非ヘッダ領域期間はフォーカス誤差信号生成手段の出力を選択するようにしたことで、ディスクの傷等によるヘッダ領域の検出漏れによる影響を受けにくくなり、再生品位を向上させることが可能になる。
【００６１】
【発明の効果】
以上説明したように本発明によれば、データ書き込み開始の最適なタイミングや、データ再生用のクロックを生成するための基準となる最適な同期信号を生成することが可能になる。また、ヘッダ領域を検出する手段として、検出条件の異なる複数のヘッダ検出手段を設けておき、それぞれの検出手段によるヘッダ領域の検出結果の良否を判断し、その判断結果に基づいて複数のヘッダ検出手段の中から最適なヘッダ検出手段を選択することによって、より正確なヘッダ同期信号を得ることができ、信頼性を向上させることができる。さらに、前置増幅手段の出力からウォブルを検出するウォブル検出手段を設け、このウォブル検出手段の出力からこれに同期したウォブル同期信号を生成し、ヘッダ検出手段の出力ならびにウォブル同期信号に基づいてヘッダ検出同期信号を生成することによって、より一層精度の高いヘッダ同期信号を得ることができるようになる。さらに、ヘッダ同期信号生成手段により生成されたヘッダ同期信号に基づいて、前置増幅手段の出力からヘッダ領域を検出する有効区間を設定することによって、ヘッダ領域以外のノイズ等の影響でヘッダ領域を誤検出する確率が減り、精度の更なる向上を期待することができる。
【図面の簡単な説明】
【図１】本発明の一実施形態の光ディスク装置としてのＤＶＤ−ＲＡＭドライブの構成を示す図である。
【図２】図１の実施形態のＤＶＤ−ＲＡＭドライブにおけるヘッダ同期信号の検出手順を示すフローチャートで、ディスク回転の立ち上げ直後の動作を示すフローチャートである。
【図３】同じく図１の実施形態のＤＶＤ−ＲＡＭドライブにおけるヘッダ同期信号の検出手順を示すフローチャートで、ヘッダラフ検出の動作を示すフローチャートである。
【図４】同じく図１の実施形態のＤＶＤ−ＲＡＭドライブにおけるヘッダ同期信号の検出手順を示すフローチャートで、ヘッダ前縁検出の動作を示すフローチャートである。
【図５】同じく図１の実施形態のＤＶＤ−ＲＡＭドライブにおけるヘッダ同期信号の検出手順を示すフローチャートで、ヘッダ前縁検出とウォブル検出によるヘッダ同期信号の生成手順を示すフローチャートである。
【図６】ヘッダ領域によるトラッキング誤差信号およびフォーカス誤差信号への影響を従来と本実施形態の場合とで比較した図である。
【図７】ヘッダ検出信号の同期信号を示す図である。
【図８】ＤＶＤ−ＲＡＭの物理フォーマットを示す図である。
【図９】図８のＤＶＤ−ＲＡＭの物理フォーマットにおけるヘッダ部の構成を示す図である。
【符号の説明】
１・・・光ディスク
２・・・光検出手段
３・・・前置増幅手段
４・・・トラッキング誤差信号生成手段
５・・・フォーカス誤差信号生成手段
６・・・ヘッダ前縁検出手段
７・・・ヘッダラフ検出手段
８・・・ウォブル検出手段
９、１２・・・切り替えスイッチ
１０・・・トラッキング誤差信号保持手段
１１・・・トラッキングサーボ制御手段
１３・・・フォ一カス誤差信号保持手段
１４・・・フォーカスサーボ制御手段
１５・・・ヘッダ検出選択手段
１６・・・ヘッダ検出選択手段
１７・・・ウォブル同期信号生成手段
１８・・・信号選択手段
１９・・・ヘッダ検出同期信号生成手段
２０・・・制御手段
【図１】
0003999881.tif 000002
【図２】
0003999881.tif 000003
【図３】
0003999881.tif 000004
【図４】
0003999881.tif 000005
【図５】
0003999881.tif 000006
【図６】
0003999881.tif 000007
【図７】
0003999881.tif 000008
【図８】
0003999881.tif 000009
【図９】
0003999881.tif 000010